(57)【要約】【課題】コンテンツデータの選択におけるユーザの操作性を向上すること。【解決手段】ハードディスク３０は、コンテンツプロバイダが提供する楽曲を暗号化した暗号楽曲データと、その楽曲の曲名や歌手などの情報を示す歌本データとを有する。楽曲の再生時には携帯電話１１やＤＣＭ１２を利用した通信によってコンテンツプロバイダから暗号化されたデータの復号に必要なライセンスキーを取得する。ユーザ操作に際しては、選曲処理部２２が定額契約を結んだコンテンツプロバイダから提供される楽曲のみを選択可能とするとともに、表示処理部２３が定額契約を結んだコンテンツプロバイダ（もしくはそのコンテンツプロバイダから提供される楽曲）のみを表示する、または定額契約を結んだコンテンツプロバイダ（もしくはそのコンテンツプロバイダから提供される楽曲）の表示を異ならせることで、ユーザの操作性を向上する。【選択図】        図１
2006293817.tif 000002
【特許請求の範囲】
【請求項１】
音声出力および／または表示出力を含むコンテンツデータを車両乗員に提供する端末装置であって、
予め複数のコンテンツデータを記憶する記憶手段と、
前記コンテンツデータを提供するコンテンツ提供者との契約処理を行なう契約処理手段と、
前記記憶手段が記憶した複数のコンテンツデータのうち、前記契約処理手段による契約が完了したコンテンツ提供者から提供を受けたコンテンツデータを選択的に再生可能とする選択処理手段と、
を備えたことを特徴とする端末装置。
【請求項２】
前記コンテンツデータは音楽データであることを特徴とする請求項１に記載の端末装置。
【請求項３】
前記選択処理手段は、前記契約が完了したコンテンツ提供者を選択的に表示することを特徴とする請求項１または２に記載の端末装置。
【請求項４】
前記選択処理手段は、前記契約が完了したコンテンツ提供者の表示を他のコンテンツ提供者の表示に対して異ならせることを特徴とする請求項１または２に記載の端末装置。
【請求項５】
前記選択処理手段は、前記契約が完了したコンテンツ提供者から提供を受けたコンテンツデータを選択的に表示することを特徴とする請求項１または２に記載の端末装置。
【請求項６】
前記選択処理手段は、前記契約が完了したコンテンツ提供者から提供を受けたコンテンツデータの表示を他のコンテンツデータの表示に対して異ならせることを特徴とする請求項１または２に記載の端末装置。
【請求項７】
前記コンテンツデータを再生可能にするキーデータを車両外部との通信によって取得する通信手段をさらに備えたことを特徴とする請求項１〜６のいずれか一つに記載の端末装置。
【発明の詳細な説明】
【技術分野】
【０００１】
この発明は、音声出力および／または表示出力を含むコンテンツデータを車両乗員に提供する端末装置に関し、特にユーザの操作性を向上した端末装置に関する。
【背景技術】
【０００２】
従来、車両にはラジオなどの放送を受信する、カセットテープやＣＤなどの記録媒体に記録した音楽データを再生する、など車両乗員に娯楽を提供する機能が搭載されてきた。そして近年では、車外のサーバとの通信を利用して車両乗員が所望の情報や音楽データなどを取得することが可能となっている（例えば特許文献１参照。）。
【０００３】
【特許文献１】特開２００４−３１８７２８号公報
【発明の開示】
【発明が解決しようとする課題】
【０００４】
さらに近年では、車両にハードディスクを搭載するなど、ユーザが車内で使用可能な記録媒体の容量が増大している。その一方で、車両においては装置の小型化の要請が強く、使用可能な入力デバイスが限定されるため、対象となるデータ数の増加にともなって操作性が低下するという問題点がある。特に運転者が操作する場合には、運転操作に支障を与えない、簡便な操作で所望の処理を実現することが求められる。
【０００５】
本発明は、上述した従来技術における問題点を解消し、課題を解決するためになされたものであり、コンテンツデータの選択におけるユーザの操作性を向上した端末装置を提供することを目的とする。
【課題を解決するための手段】
【０００６】
上述した課題を解決し、目的を達成するため、請求項１の発明に係る端末装置は、音声出力および／または表示出力を含むコンテンツデータを車両乗員に提供する端末装置であって、予め複数のコンテンツデータを記憶する記憶手段と、前記コンテンツデータを提供するコンテンツ提供者との契約処理を行なう契約処理手段と、前記記憶手段が記憶した複数のコンテンツデータのうち、前記契約処理手段による契約が完了したコンテンツ提供者から提供を受けたコンテンツデータを選択的に再生可能とする選択処理手段と、を備えたことを特徴とする。
【０００７】
この請求項１の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者から提供を受けたコンテンツデータを選択的に再生可能とする。
【０００８】
また、請求項２の発明に係る端末装置は、請求項１の発明において、前記コンテンツデータは音楽データであることを特徴とする。
【０００９】
この請求項２の発明によれば端末装置は、記憶手段に予め複数の音楽データを記憶し、音楽データを提供するコンテンツ提供者との契約処理を行ない、記憶手段が記憶した複数の音楽データのうち、契約が完了したコンテンツ提供者から提供を受けた音楽データを選択的に再生可能とする。
【００１０】
また、請求項３の発明に係る端末装置は、請求項１または２の発明において、前記選択処理手段は、前記契約が完了したコンテンツ提供者を選択的に表示することを特徴とする。
【００１１】
この請求項３の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者を選択的に表示することで、そのコンテンツ提供者から提供を受けたコンテンツデータを選択的に再生可能とする。
【００１２】
また、請求項４の発明に係る端末装置は、請求項１または２の発明において、前記選択処理手段は、前記契約が完了したコンテンツ提供者の表示を他のコンテンツ提供者の表示に対して異ならせることを特徴とする。
【００１３】
この請求項４の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者から提供を受けたコンテンツデータを選択的に再生可能とするとともに、契約が完了したコンテンツプロバイダの表示を他のコンテンツプロバイダの表示に対して異ならせる。
【００１４】
また、請求項５の発明に係る端末装置は、請求項１または２の発明において、前記選択処理手段は、前記契約が完了したコンテンツ提供者から提供を受けたコンテンツデータを選択的に表示することを特徴とする。
【００１５】
この請求項５の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者から提供を受けたコンテンツデータを選択的に表示することで、そのコンテンツデータを選択的に再生可能とする。
【００１６】
また、請求項６の発明に係る端末装置は、請求項１または２の発明において、前記選択処理手段は、前記契約が完了したコンテンツ提供者から提供を受けたコンテンツデータの表示を他のコンテンツデータの表示に対して異ならせることを特徴とする。
【００１７】
この請求項６の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者から提供を受けたコンテンツデータを選択的に再生可能とするとともに、そのコンテンツデータの表示を他のコンテンツデータの表示に対して異ならせる。
【００１８】
また、請求項７の発明に係る端末装置は、請求項１〜６のいずれか一つの発明において、前記コンテンツデータを再生可能にするキーデータを車両外部との通信によって取得する通信手段をさらに備えたことを特徴とする。
【００１９】
この請求項７の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者から提供を受けたコンテンツデータを再生可能とするとともに、そのコンテンツデータの再生に必要なキーデータを車両外部との通信によって取得する。
【発明の効果】
【００２０】
請求項１の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者から提供を受けたコンテンツデータを選択的に再生可能とするので、コンテンツデータの選択におけるユーザの操作性を向上した端末装置を得ることができるという効果を奏する。
【００２１】
また、請求項２の発明によれば端末装置は、記憶手段に予め複数の音楽データを記憶し、音楽データを提供するコンテンツ提供者との契約処理を行ない、記憶手段が記憶した複数の音楽データのうち、契約が完了したコンテンツ提供者から提供を受けた音楽データを選択的に再生可能とするので、音楽データの選択におけるユーザの操作性を向上した端末装置を得ることができるという効果を奏する。
【００２２】
また、請求項３の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者を選択的に表示することで、そのコンテンツ提供者から提供を受けたコンテンツデータを選択的に再生可能とするので、コンテンツデータの選択におけるユーザの操作性をさらに向上した端末装置を得ることができるという効果を奏する。
【００２３】
また、請求項４の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者から提供を受けたコンテンツデータを選択的に再生可能とするとともに、契約が完了したコンテンツプロバイダの表示を他のコンテンツプロバイダの表示に対して異ならせるので、コンテンツデータの選択におけるユーザの操作性を向上するとともに他のコンテンツプロバイダの契約状態を通知する端末装置を得ることができるという効果を奏する。
【００２４】
また、請求項５の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者から提供を受けたコンテンツデータを選択的に表示することで、そのコンテンツデータを選択的に再生可能とするので、コンテンツデータの選択におけるユーザの操作性をさらに向上した端末装置を得ることができるという効果を奏する。
【００２５】
また、請求項６の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者から提供を受けたコンテンツデータを選択的に再生可能とするとともに、そのコンテンツデータの表示を他のコンテンツデータの表示に対して異ならせるので、コンテンツデータの選択におけるユーザの操作性を向上するとともに他のコンテンツプロバイダとの契約によって取得可能なコンテンツデータを通知する端末装置を得ることができるという効果を奏する。
【００２６】
また、請求項７の発明によれば端末装置は、記憶手段に予め複数のコンテンツデータを記憶し、コンテンツデータを提供するコンテンツ提供者との契約処理を行ない、記憶手段が記憶した複数のコンテンツデータのうち、契約が完了したコンテンツ提供者から提供を受けたコンテンツデータを再生可能とするとともに、そのコンテンツデータの再生に必要なキーデータを車両外部との通信によって取得するので、コンテンツデータの選択におけるユーザの操作性を向上し、車外との通信量を低減する端末装置を得ることができるという効果を奏する。
【発明を実施するための最良の形態】
【００２７】
以下に添付図面を参照して、この発明に係る端末装置の好適な実施例について詳細に説明する。
【実施例】
【００２８】
図１は、本発明の実施の形態である車載端末装置１の概要構成を示す概要構成図である。また、図２は、本発明の実施の形態にかかるコンテンツサービスシステムの概要を説明する説明図である。
【００２９】
図２に示すように、車両に搭載された車載端末装置１は、サーバ４０との通信を利用し、複数のコンテンツプロバイダ（コンテンツプロバイダＡ〜Ｃ）が提供するコンテンツデータである楽曲データを再生可能とする。
【００３０】
楽曲データの取得方法は、サーバ４０との通信によって楽曲データ自体を取得（ダウンロード）する方法と、予め車両側に暗号化された楽曲データを記憶させておき、復号用のキーデータであるライセンスキーをサーバ４０との通信によって取得する方法とを用いることができる。
【００３１】
図１に示すように、車載端末装置１はその内部に携帯電話１１、ＤＣＭ（Data Communication Module）１２、スピーカ１３、ディスプレイ１４、タッチパネル１５、主制御部２０およびハードディスク３０を有する。
【００３２】
携帯電話１１およびＤＣＭ１２は、図２に示すサーバ４０との通信を行なう通信手段である。携帯電話１１は、単独で携帯電話端末として機能するが、ここでは車載端末装置１に接続されて車載端末装置１とサーバ４０との通信に使用される。また、ＤＣＭ１２は、車載端末装置２０に内蔵された専用の通信手段である。
【００３３】
スピーカ１３は車室の乗員に対する音声出力を、ディスプレイ１４は車室の乗員に対する表示出力をそれぞれ行なう出力手段である。また、タッチパネル１５は、乗員（ユーザ）からの操作入力を受け付ける入力手段である。このスピーカ１３、ディスプレイ１４およびタッチパネル１５は、ナビゲーション装置など他の車載装置と共用することができる。
【００３４】
主制御部２０は、車載端末装置１を全体制御する制御部であり、その内部に保存処理部２１、選曲処理部２２、表示処理部２３および契約処理部２４を有する。保存処理部２１は、サーバ４０との通信によって取得した楽曲データやライセンスキーをハードディスク３０に保存する処理を行なう。
【００３５】
選曲処理部２２は、ユーザの操作に基づいて再生する楽曲データを選択し、再生を実行する処理部である。さらに表示制御部２３は、ディスプレイ１４に表示する表示内容を制御する処理をおこなう。
【００３６】
契約処理部２４は、サーバ４０との通信を介してコンテンツプロバイダとの契約を行なう処理部である。この契約は、各プロバイダと個別に行なう。また、契約の形態には、そのプロバイダが提供するコンテンツ全て（もしくは全コンテンツの所定量）から任意のコンテンツを回数制限なく定額で利用可能な定額契約と、所望のコンテンツを使用する時点でそのコンテンツに対する課金を行なう（もしくは予め購入したチケットを消費する）個別購入契約とがある。
【００３７】
そのため、ユーザはコンテンツプロバイダごとに「定額契約」を結ぶか否かを選択することができ、定額契約を結んでいないコンテンツプロバイダが提供するコンテンツデータについても「個別購入契約」によって利用することが可能である。
【００３８】
ハードディスク３０は、各種データを記憶する記憶手段であり、具体的には楽曲管理テーブル３１、コンテンツデータ３２、ダウンロードデータ３３、ライセンスキー３４などを記憶する。
【００３９】
楽曲管理テーブル３１は、ユーザによって選択可能な楽曲データを示すテーブルであり、選曲処理部２２はこの楽曲管理テーブル３１を参照して選曲処理を行なう。また、コンテンツデータ３２は、各コンテンツプロバイダが提供するコンテンツを予め記憶したデータである。
【００４０】
このコンテンツデータ３２は、コンテンツプロバイダＡから提供を受けたデータ３２ａ、コンテンツプロバイダＢから提供を受けたデータ３２ｂなど、コンテンツプロバイダごとにデータを有する。
【００４１】
データ３２ａは、コンテンツプロバイダＡが提供する楽曲を暗号化した暗号楽曲データと、その楽曲の曲名や歌手などの情報を示す歌本データとを有する。同様に、データ３２ｂは、コンテンツプロバイダＢが提供する楽曲を暗号化した暗号楽曲データと、その楽曲の曲名や歌手などの情報を示す歌本データとを有する。
【００４２】
ユーザは、例えばコンテンツプロバイダＡと定額契約を結ぶと、データ３２ａの歌本データに示された楽曲の全てが使用可能となる。楽曲データの再生時には、暗号化されたデータの復号に必要なライセンスキーをサーバ４０との通信によって取得する。そして一旦取得した後は、ライセンスキー３４としてハードディスク３０の内部に保存するので、同一の楽曲データを繰り返して再生する場合には、サーバ４０との通信は不要となる。
【００４３】
一方、「個別購入契約」によって取得した（ダウンロードした）楽曲データは暗号化されていない平文のデータであるので、そのまま再生可能である。また、一旦ダウンロードした楽曲データは、ダウンロードデータ３３として保存されるので、同一の楽曲データを繰り返して再生する場合には、サーバ４０との通信は不要となる。
【００４４】
このように、ハードディスク３０に楽曲データを予め記憶しておけば、定額契約によって楽曲を再生する場合にライセンスキーの取得のみで再生可能となるので、通信が必要なデータ量を削減することができる。
【００４５】
その一方、複数のコンテンツプロバイダが提供する楽曲データを予め記憶しておき、定額契約をしたコンテンツプロバイダの提供分だけを選択可能とする構成では、それ以外のコンテンツプロバイダから提供された楽曲データを選択不可能とする処理が必要である。
【００４６】
この選択制御には、選曲処理部２２および表示処理部２３の制御によって「定額契約済みのコンテンツプロバイダと他のコンテンツプロバイダとを区別することなく表示しつつ定額契約済みのコンテンツプロバイダが提供する楽曲のみを選択可能とする」、「定額契約済みのコンテンツプロバイダのみを表示することで、定額契約済みのコンテンツプロバイダが提供する楽曲のみを選択可能とする」、「定額契約済みのコンテンツプロバイダと他のコンテンツプロバイダとの表示態様を異ならせることで、選択可能な楽曲を示す」などの方法を用いることができる。
【００４７】
具体例として、コンテンツプロバイダＡのみと定額契約し、コンテンツプロバイダＢ，Ｃとは定額契約をしていない場合における各方法でのディスプレイ１４の表示例を図３に示す。
【００４８】
まず、「定額契約済みのコンテンツプロバイダと他のコンテンツプロバイダとを区別することなく表示しつつ定額契約済みのコンテンツプロバイダが提供する楽曲のみを選択可能とする」方法では、図３の表示例１４ａに示すように、表示処理部２３は、定額契約済みであるコンテンツプロバイダＡが提供する楽曲（楽曲ａ０１〜ａ０４など）と、定額契約をしていないコンテンツプロバイダＢ，Ｃが提供する楽曲（楽曲ｂ０１〜ｂ０４，楽曲ｃ０１〜ｃ０４など）とを区別することなく表示する。
【００４９】
一方、選曲処理部２２は、定額契約を結んでいないコンテンツプロバイダＢ，Ｃが提供する楽曲を選択不可能とするので、ユーザは定額契約済みであるコンテンツプロバイダＡが提供する楽曲（楽曲ａ０１〜ａ０４など）のみを選択することができる。
【００５０】
つぎに、「定額契約済みのコンテンツプロバイダのみを表示することで、定額契約済みのコンテンツプロバイダが提供する楽曲のみを選択可能とする」方法では、図３の表示例１４ｂに示すように、表示処理部２３は、定額契約済みであるコンテンツプロバイダＡが提供する楽曲（楽曲ａ０１〜ａ０４など）のみを表示し、定額契約をしていないコンテンツプロバイダＢ，Ｃが提供する楽曲（楽曲ｂ０１〜ｂ０４，楽曲ｃ０１〜ｃ０４など）は表示しない。そのため、ディスプレイ１４ｂの表示量を抑制し、効率的な表示を行なうことができる。
【００５１】
さらに、「定額契約済みのコンテンツプロバイダと他のコンテンツプロバイダとの表示態様を異ならせることで、選択可能な楽曲を示す」方法では、図３の表示例１４ｃに示すように、表示処理部２３は、定額契約済みであるコンテンツプロバイダＡが提供する楽曲（楽曲ａ０１〜ａ０４など）の表示態様と、定額契約をしていないコンテンツプロバイダＢ，Ｃが提供する楽曲（楽曲ｂ０１〜ｂ０４，楽曲ｃ０１〜ｃ０４など）との表示態様とを異ならせる。
【００５２】
そのため、ユーザは選択可能な楽曲を簡易に認識することができるとともに、新たな定額契約によって選択可能となる楽曲を認識することが可能となる。
【００５３】
つづいて、「定額契約」による楽曲データの再生と「個別購入契約」による楽曲の再生について説明する。図４は、定額契約による楽曲データの再生の処理動作を説明する説明図である。
【００５４】
同図に示すように、定額契約では、まず契約処理部２４がサーバ４０を介してコンテンツプロバイダとの定額契約を結ぶ（ステップＳ１０１）。そして定額契約を結んだ後は、ユーザがコンテンツプロバイダの選択処理（ステップＳ１０２）を行なった場合に当該コンテンツプロバイダが提供する楽曲から再生する楽曲を選択させ、その楽曲のライセンスキーを取得する（ステップＳ１０３）。
【００５５】
そして、ハードディスク３０内の暗号化された楽曲データを、取得したライセンスキーによって復号して再生する（ステップＳ１０４）。なお、ライセンスキーの取得は、サーバ４０との通信を介して行なう。また、過去の再生時にライセンスキーを取得した楽曲であればハードディスク４０内のライセンスキー３４を使用する。
【００５６】
このステップＳ１０２からステップＳ１０４までの処理がユーザ操作に基づく再生処理フローであり、通常のルーチンに含まれる。その後、ユーザが定額契約の解約を指示した場合には、契約処理部２４がサーバ４０との通信を介してコンテンツプロバイダとの解約処理を行なうとともに、当該コンテンツプロバイダから契約期間中に取得してハードディスク３０に保存したライセンスキー３４を全て破棄する（ステップＳ１０５）。
【００５７】
すなわち、定額契約では、契約期間中はハードディスクに予め格納した暗号化楽曲データを任意に再生することが可能であり、解約後には過去の再生実績に関わらず全て再生不可能となる。
【００５８】
つぎに、図５を参照し、個別購入契約による楽曲データの再生の処理動作について説明する。個別購入契約では、ます契約処理部２４がサーバ４０を介してコンテンツプロバイダとの個別購入契約を結ぶ（ステップＳ２０１）。そして個別購入契約を結んだ後は、ユーザがコンテンツプロバイダの選択処理（ステップＳ２０２）を行なった場合に当該コンテンツプロバイダが提供する楽曲から再生する楽曲を選択させ、その楽曲データをサーバ４０を介してダウンロードする（ステップＳ２０３）。
【００５９】
そして、ダウンロードした楽曲データのハードディスク３０への記録と再生を実行する（ステップＳ２０４）。なお、過去の再生時に既にダウンロードした楽曲であればハードディスク４０内のダウンロードデータ３３を使用する。このステップＳ２０２からステップＳ２０４までの処理が、個別購入契約中のユーザ操作に基づく再生処理フローであり、通常のルーチンに含まれる。
【００６０】
さらに、個別購入契約を解約（ステップＳ２０５）した後は、ユーザがコンテンツプロバイダの選択処理（ステップＳ２０６）を行なった場合に当該コンテンツプロバイダから個別購入契約中にダウンロードした楽曲から再生する楽曲を選択させ（ステップＳ２０７）、その楽曲データを再生する（ステップＳ２０８）。このステップＳ２０６からステップＳ２０８までの処理が、個別購入契約の解約後のユーザ操作に基づく再生処理フローとして通常のルーチンに含まれる。
【００６１】
すなわち、個別購入契約では、契約期間中にユーザが指定した楽曲のデータを直接ダウンロードして使用する。そしてこのダウンロードに対して課金（もしくはチケットの消費）が発生し、一旦ダウンロードした後は自由に使用することができる。
【００６２】
上述してきたように、本実施例にかかる車載端末装置１は、暗号化した楽曲データをハードディスク３０に記憶しておき、契約処理部２４が定額契約を結んだコンテンツプロバイダが提供する楽曲のみを選択可能とすることで、サーバとの通信量を削減しつつ、操作性を向上することができる。
【００６３】
さらに、定額契約を結んだコンテンツプロバイダが提供する楽曲のみを表示することで、操作性をさらに向上することができる。また、定額契約を結んだコンテンツプロバイダが提供する楽曲と他のコンテンツプロバイダが提供する楽曲との表示態様を異ならせることで、ユーザに選択可能な楽曲と、新たな定額契約によって選択可能となる楽曲とを認識させることができる。
【００６４】
さらに、定額契約を結んでいないコンテンツプロバイダについても、個別購入契約によって必要な楽曲をその都度購入することが可能となる。なお、本実施例では個別購入契約時には楽曲データ自体をダウンロードする構成としているが、予めハードディスクに暗号化データを保存している楽曲については、購入時にライセンスキーのみをダウンロードする構成としても良い。
【００６５】
また、暗号化されたデータを予めハードディスク３０に記憶させるタイミングと方法については、車両の出荷前に直接ハードディスク３０に保存しておいてもよいし、車両の出荷後にＣＤなどの記録媒体から読み出してハードディスク３０に保存してもよい。また、所望のネットワークを介して通信によって取得しても良い。
【００６６】
なお、本実施例では、コンテンツプロバイダの選択時に当該プロバイダが提供する楽曲を併せて表示する構成を例に説明を行ったが、コンテンツプロバイダ選択時に当該プロバイダが提供する楽曲の表示を行なわない構成や、コンテンツプロバイダを表示せず楽曲のみの表示を行なう構成など、任意の構成で本発明を利用することができる。なお、楽曲の表示を行なわない構成では表示制御はコンテンツプロバイダの表示に対して実行し、コンテンツプロバイダの表示を行なわない構成では表示制御は楽曲に対して実行することは言うまでも無い。
【産業上の利用可能性】
【００６７】
以上のように、本発明にかかる車載端末装置は、車両乗員に対するコンテンツデータの提供に有用であり、特にコンテンツデータ選択時の操作性向上に適している。
【図面の簡単な説明】
【００６８】
【図１】本発明の実施例にかかる車載端末装置の概要構成を示す概要構成図である。
【図２】本発明の実施の形態にかかるコンテンツサービスシステムの概要を説明する説明図である。
【図３】図１に示したディスプレイ１４の表示例を説明する説明図である。
【図４】定額契約による楽曲データの再生の処理動作を説明する説明図である。
【図５】個別購入契約による楽曲データの再生の処理動作について説明する説明図である。
【符号の説明】
【００６９】
１    車載端末装置
１１    携帯電話
１２    ＤＣＭ
１３    スピーカ
１４    ディスプレイ
１５    タッチパネル
２０    主制御部
２１    保存処理部
２２    選曲処理部
２３    表示処理部
２４    契約処理部
３０    ハードディスク
３１    楽曲管理テーブル
３２    コンテンツデータ
３３    ダウンロードデータ
３４    ライセンスキー
【図１】
2006293817.tif 000003
【図２】
2006293817.tif 000004
【図３】
2006293817.tif 000005
【図４】
2006293817.tif 000006
【図５】
2006293817.tif 000007